(57)【要約】【課題】スイッチ装置の高さ方向と横方向の小型化を図りつつ、操作ノブから発光させること。【解決手段】スイッチ装置は、光を透過可能な表示部１ｅが設けられた操作ノブ１と、操作ノブ１に下方へ突設されたレバー８と、操作ノブ１の下方に設けられた基板１１と、基板１１上に設けられた固定接点およびＬＥＤと、操作ノブ１の直下のレバー８近傍に、基板１１に対して垂直に設けられた円筒軸２ｔと、レバー８と係合し、円筒軸２ｔを中心に回転可能なストライカ５と、ストライカ５に設けられた可動接点と、ＬＥＤの光を導くライトガイド１２とを備える。操作ノブ１の揺動により、レバー８がストライカ５を回転させて、可動接点が固定接点と接離する。ストライカ５に円筒軸２ｔに対して開口する開口部５ｃを設け、ライトガイド１２をＬＥＤとの対向位置から延長して、開口部５ｃから円筒軸２ｔの中空部２ｄへ通して、操作ノブ１の内側に臨ませる。【選択図】図１０
2013182834.tif 000002
【特許請求の範囲】
【請求項１】
光を透過可能な表示部が設けられた操作ノブと、
前記操作ノブを移動可能に支持する支持部材と、
前記操作ノブの内側に下方へ突出するように設けられたレバーと、
前記操作ノブの下方に設けられた基板と、
前記基板に設けられた固定接点および光源と、
前記操作ノブの直下の前記レバーの近傍に、前記基板に対して垂直に設けられた中空状の軸部と、
前記レバーと係合し、前記軸部を中心に回転可能な回転部材と、
前記回転部材に設けられた可動接点と、
前記光源が発した光を導くライトガイドと、を備え、
前記操作ノブを移動操作することにより、前記レバーが前記回転部材を回転させて、前記可動接点が前記固定接点に対して接離し、
前記回転部材に前記軸部に対して開口する開口部を設け、
前記ライトガイドを前記光源との対向位置から延長して、前記回転部材の前記開口部から前記軸部の中空部へ通して、前記操作ノブの内側に臨ませた、ことを特徴とするスイッチ装置。
【請求項２】
請求項１に記載のスイッチ装置において、
前記回転部材に前記軸部の径方向へ開口するように前記開口部を設け、
前記軸部の側面に前記開口部と連続する切欠き部を設けた、ことを特徴とするスイッチ装置。
【請求項３】
請求項１または請求項２に記載のスイッチ装置において、
前記回転部材に前記軸部の径方向へ突出する突出部を設け、
前記突出部に前記可動接点を設け、
前記突出部の近傍の前記基板上に前記固定接点を設け、
前記軸部に対して前記突出部の反対側に前記開口部を設けた、ことを特徴とするスイッチ装置。
【請求項４】
請求項１ないし請求項３のいずれかに記載のスイッチ装置において、
前記操作ノブは、前記支持部材に設けられた支持軸により、揺動可能に支持されている、ことを特徴とするスイッチ装置。
【発明の詳細な説明】
【技術分野】
【０００１】
本発明は、操作ノブを操作することにより接点が開閉するスイッチ装置に関するものである。
【背景技術】
【０００２】
操作ノブを備えたスイッチ装置では、操作ノブを操作することにより、接点の開閉状態が切り替わる。
【０００３】
たとえば、特許文献１に開示されているスイッチ装置では、操作ノブを軸で揺動可能に支持し、操作ノブに下方へ突出するレバーを設けている。操作ノブの下方には、基板が設けられ、基板上には、固定接点が設けられ、スライダが配置されている。スライダには、レバーの下端部が係合され、可動接点を有する板ばねが設けられている。操作ノブを揺動操作することにより、レバーがスライダを直線移動させて、可動接点が基板上の固定接点に対して接離（開閉）する。
【０００４】
また、特許文献２に開示されているスイッチ装置では、操作ノブに設けたレバーの下端部が、回転スライダと係合している。回転スライダは、中心軸から離間した位置に押圧手段を備えている。回転スライダのレバーと反対側には、可動接点を有する一対の揺動接片が設けられ、各揺動接片の中央は電極で支持されている。各電極の両側には、それぞれ固定接点が設けられている。操作ノブを揺動操作することにより、レバーが回転スライダを回動させるため、ボールが揺動接片上を転動し、揺動接片が揺動して、可動接点が固定接点に対して接離する。
【０００５】
さらに、特許文献３に開示されているスイッチ装置では、操作ノブの下方に前後一対の駆動体が設けられ、各駆動体の下方にラバーシートの膨出部が設けられている。各膨出部の内側には可動接点が設けられ、各可動接点と対向する基板上の位置には固定接点が設けられている。操作ノブを揺動操作することにより、操作ノブが駆動体を押下させ、駆動体が膨出部を押下させて、可動接点と固定接点が接触する。
【０００６】
この特許文献３のスイッチ装置では、各操作ノブに光を透過可能な表示部を設け、基板上に光源を実装し、各操作ノブと基板との間にライトガイド（導光体）を配置している。ライトガイドは、光源との対向位置から各操作ノブの直下まで延長されていて、光源から発せられた光を各操作ノブの表示部まで導く。これにより、表示部を発光させて、暗所でも操作ノブを操作可能にしている。
【０００７】
一方、特許文献４に開示されているスイッチ装置では、操作ノブ自体を、透明または半透明な材料で形成することにより、ライトガイドにしている。操作ノブの底端の下方には、光源が設けられている。光源から発せられた光を、操作ノブの底端から内部を進行させて、側端面から放出させることにより、操作ノブの端を発光させている。
【０００８】
上述した特許文献１〜３のような構造では、各部の寸法や組み付け精度のばらつきの影響を受けずに、接点を確実に開閉させるために、接点の間隔や、スライダと可動接点または駆動部の移動量を、ある程度大きくする必要がある。しかし、それに伴って、レバーまたは駆動部の長さや、操作ノブと固定接点の距離をある程度長くする必要があり、スイッチ装置が高さ方向に大型化してしまう。
【０００９】
また、特許文献１および特許文献２のような構造では、操作ノブの下方に部品が密集しているため、特許文献３および特許文献４のように操作ノブから発光させようとする場合、操作ノブの下方にライトガイドや光源の配置スペースを新たに設ける必要があり、スイッチ装置が横方向に大型化してしまう。
【先行技術文献】
【特許文献】
【００１０】
【特許文献１】特開平９−２０４８４２号公報
【特許文献２】特開２０１０−１６５５３０号公報
【特許文献３】特開２００７−３０８１０２号公報
【特許文献４】特表２０１０−５２８９２９号公報
【発明の概要】
【発明が解決しようとする課題】
【００１１】
本発明の課題は、高さ方向と横方向の小型化を図りつつ、操作ノブから発光させることができるスイッチ装置を提供することである。
【課題を解決するための手段】
【００１２】
本発明によるスイッチ装置は、光を透過可能な表示部が設けられた操作ノブと、操作ノブを移動可能に支持する支持部材と、操作ノブの内側に下方へ突出するように設けられたレバーと、操作ノブの下方に設けられた基板と、基板に設けられた固定接点および光源と、操作ノブの直下のレバーの近傍に、基板に対して垂直に設けられた中空状の軸部と、レバーと係合し、軸部を中心に回転可能な回転部材と、回転部材に設けられた可動接点と、光源が発した光を導くライトガイドとを備える。操作ノブを移動操作することにより、レバーが回転部材を回転させて、可動接点が固定接点に対して接離する。回転部材に軸部に対して開口する開口部を設け、ライトガイドを光源との対向位置から延長して、回転部材の開口部から軸部の中空部へ通して、操作ノブの内側に臨ませる。
【００１３】
上記によると、操作ノブの移動が、基板と平行な回転部材の回転に変換されて、可動接点と固定接点が開閉されるので、接点の間隔や回転部材と可動接点の回動量を基板と平行な方向に大きくして、レバーの長さや操作ノブと固定接点の距離を短く抑えることができる。このため、各部の寸法や組み付け精度のばらつきの影響を受けずに、接点を確実に開閉させながら、スイッチ装置の高さ方向の小型化を図ることができる。
【００１４】
また、ライトガイドを光源との対向位置から延長して、回転部材の開口部から軸部の中空部へ通して、操作ノブの内側に臨ませるので、ライトガイドにより、光源から発せられた光を操作ノブの内側まで導いて、表示部を下方から照らすことができる。さらに、操作ノブの直下で、軸部とライトガイドの設置スペースを部分的に共用することができる。このため、スイッチ装置の横方向の小型化を図りつつ、操作ノブの表示部から発光させることができる。
【００１５】
また、本発明では、上記スイッチ装置において、回転部材に軸部の径方向へ開口するように開口部を設け、軸部の側面に開口部と連続する切欠き部を設けてもよい。
【００１６】
また、本発明では、上記スイッチ装置において、回転部材に軸部の径方向へ突出する突出部を設け、突出部に可動接点を設け、突出部の近傍の基板上に固定接点を設け、軸部に対して突出部の反対側に開口部を設けてもよい。
【００１７】
さらに、本発明では、上記スイッチ装置において、操作ノブは、支持部材に設けられた支持軸により、揺動可能に支持されていてもよい。
【発明の効果】
【００１８】
本発明によれば、高さ方向と横方向の小型化を図りつつ、操作ノブから発光させることができるスイッチ装置の提供が可能となる。
【図面の簡単な説明】
【００１９】
【図１】本発明の実施形態によるスイッチ装置の分解斜視図である。
【図２】図１のスイッチ装置の組立斜視図である。
【図３】図１のスイッチ装置の上面図である。
【図４】図１のスイッチ装置の側面図である。
【図５】図４のＹ−Ｙ断面図である。
【図６】図１のスイッチ装置の操作ノブの内側を示した斜視図である。
【図７】図１のスイッチ装置のストライカの斜視図である。
【図８】図１のスイッチ装置のストライカとライトガイドの斜視図である。
【図９】図１のスイッチ装置の内側を示した斜視図である。
【図１０】図３のＸ−Ｘ断面図である。
【図１１】図１のスイッチ装置の接点の開閉状態を示した図である。
【図１２】他の実施形態を示した断面図である。
【発明を実施するための形態】
【００２０】
以下、本発明の実施形態につき、図面を参照しながら説明する。各図において、同一の部分または対応する部分には、同一符号を付してある。
【００２１】
図１〜図４に示す、本発明の実施形態によるスイッチ装置１００は、自動車のパワーウインドウシステムで用いられ、たとえば、助手席のドアに設置されたアームレスト（図示省略）に取り付けられる。スイッチ装置１００には、ウインドウスイッチＷとドアロックスイッチＤとが設けられている。
【００２２】
スイッチ装置１００の容器１０は、図１に示すように、ケース１０ａとカバー１０ｂから構成されている。ケース１０ａの下側は開口していて、カバー１０ｂを嵌め合わせることにより塞がれる。容器１０内には、基板１１、ライトガイド１２、およびストライカ５が収納される。
【００２３】
容器１０の上部には、矩形枠状の筒２、２２がケース１０ａと一体で設けられている。筒２２には、ドアロックスイッチＤの操作ノブ２１が取り付けられる。詳しくは、筒２２の外側面に設けられた各支持軸２２ｊ（図１〜図３）を、操作ノブ２１の側面に設けられた各孔２１ｇ（図１、図２、および図４）に嵌め込む。すると、図１〜図４に示すように、操作ノブ２１が、筒２２の上端の開口を塞ぎ、筒２２に支持軸２２ｊで揺動可能に支持される。
【００２４】
筒２には、ウインドウスイッチＷの操作ノブ１が取り付けられる。詳しくは、筒２の内側面に設けられた各支持軸２ｊ（図１および図５）を、操作ノブ１の内側に設けられた各孔１ｇ（図５および図６）に嵌め込む。すると、図２、図３、図５、および図１０などに示すように、操作ノブ１が、筒２の上端の開口２ａを塞ぎ、筒２に支持軸２ｊで揺動可能に支持される。筒２およびケース１０ａは、本発明の「支持部材」の一例である。
【００２５】
操作ノブ１、２１の上面には、表示部１ｅ、２１ｅ、２１ｆが設けられている。操作ノブ１、２１は、光を透過可能な合成樹脂（ポリカーボネイトやアクリルなど）で形成されていて、表示部１ｅ、２１ｅ、２１ｆ以外の部分に外側から、光を透過させない黒色塗装が施されている。つまり、表示部１ｅ、２１ｅ、２１ｆは、光を透過可能になっている。
【００２６】
この他に、光を透過不可能な合成樹脂で操作ノブ１、２１を形成し、光を透過可能な合成樹脂で表示部１ｅ、２１ｅ、２１ｆを形成して、操作ノブ１、２１の上壁に設けた孔に表示部１ｅ、２１ｅ、２１ｆを嵌合することにより、操作ノブ１、２１と表示部１ｅ、２１ｅ、２１ｆを一体化してもよい。また、光を透過不可能な合成樹脂と光を透過可能な合成樹脂の二色成形により、操作ノブ１、２１と表示部１ｅ、２１ｅ、２１ｆを一体に形成してもよい。
【００２７】
操作ノブ１の揺動面（図１０では、支持軸２ｊの中心軸と直交する面）に対して垂直な、筒２の両方の側壁２ｆ、２ｂ側には、プランジャ３がそれぞれ設けられている。各プランジャ３は、合成樹脂で形成されていて、筒２の側壁２ｆ、２ｂの横幅に渡る幅を有している。すなわち、各プランジャ３の横幅は、側壁２ｆ、２ｂの横幅以上になっている。
【００２８】
筒２の側壁２ｆ、２ｂには、図１に示すように、横幅に渡って溝２ｋが設けられている。各溝２ｋ内にコイルばね４とともにプランジャ３を挿入してから、前述したように筒２に操作ノブ１を取り付ける。すると、図１０に示すように、各プランジャ３が、コイルばね４の弾性力により、筒２の側壁２ｆ、２ｂから突出して、該側壁２ｆ、２ｂに対向する操作ノブ１の側壁１ｆ、１ｂに、横幅に渡って線状に弾性接触する。
【００２９】
このようなプランジャ３と側壁１ｆ、１ｂとの接触状態は、図１０（ａ）〜（ｅ）に示すように、操作ノブ１の揺動状態に関わらず保持される。このため、スイッチ装置１００が水を浴びても、操作ノブ１の側壁１ｆ、１ｂと筒２の側壁２ｆ、２ｂとの間を通って、筒２の上端の開口２ａへ到る水の浸入が、プランジャ３により遮断される。つまり、各プランジャ３は遮水壁として機能する。
【００３０】
図１０に示すように、操作ノブ１の側壁１ｆ、１ｂには、節度部１ｓがそれぞれ設けられている。節度部１ｓは、谷部１ｒ、１ｖと山状の傾斜部１ｐ、１ｑとで構成されている。操作ノブ１の揺動に伴って、プランジャ３と節度部１ｓとが擦れることにより、節度感（クリック感）が生じる。つまり、各プランジャ３は、節度子としても機能する。
【００３１】
詳しくは、図１０（ａ）に示すように、操作ノブ１が中立状態にあるときは、各プランジャ３の先端が各節度部１ｓの谷部１ｒに係合している。この中立状態から、操作ノブ１の前頭部１ａを押し下げて、図１０（ｂ）に示すように、操作ノブ１を前方Ｆへ小さな角度（たとえば、７°）で傾くように揺動操作する。すると、側壁２ｆ、１ｆ間のプランジャ３の先端が節度部１ｓの傾斜部１ｐに係合して、節度感が生じる。
【００３２】
さらに、操作ノブ１の前頭部１ａを押し下げて、図１０（ｃ）に示すように、操作ノブ１を前方Ｆへ大きな角度（たとえば、１２°）で傾くように揺動操作する。すると、側壁２ｆ、１ｆ間のプランジャ３の先端が節度部１ｓの谷部１ｖを越えて傾斜部１ｑに係合して、節度感が生じる。
【００３３】
また、中立状態から、操作ノブ１の前頭部１ａを引き上げて、図１０（ｄ）に示すように、操作ノブ１を後方Ｂへ小さな角度（たとえば、７°）で傾くように揺動操作する。すると、側壁２ｂ、１ｂ間のプランジャ３の先端が節度部１ｓの傾斜部１ｐに係合して、節度感が生じる。
【００３４】
さらに、操作ノブ１の前頭部１ａを引き上げて、図１０（ｅ）に示すように、操作ノブ１を後方Ｂへ大きな角度（たとえば、１２°）で傾くように揺動操作する。すると、側壁２ｂ、１ｂ間のプランジャ３の先端が節度部１ｓの谷部１ｖを越えて傾斜部１ｑに係合して、節度感が生じる。
【００３５】
操作ノブ１の操作を解除すると、コイルばね４の弾性力により、プランジャ３が節度部１ｓを摺動して、谷部１ｒに係合し、操作ノブ１が図１０（ａ）に示す中立状態に復帰する。
【００３６】
操作ノブ１の揺動面に対して平行な筒２の側壁２ｍ、２ｈの外側面には、図１および図５に示すように、横幅に渡って凸部２ｎが設けられている。この凸部２ｎにより、筒２の側壁２ｍ、２ｈとこれに対向する操作ノブ１の側壁１ｍ、１ｈとは、該筒２の側壁２ｍ、２ｈの横幅に渡って線状に接している。また、筒２の側壁２ｍ、２ｈと操作ノブ１の側壁１ｍ、１ｈの間には、防水用のグリスが塗布されている（図示省略）。
【００３７】
このため、スイッチ装置１００が水を浴びても、筒２の側壁２ｍ、２ｈと操作ノブ１の側壁１ｍ、１ｈとの間を通って、筒２の上端の開口２ａへ到る水の浸入が、凸部２ｎとグリスにより遮断される。
【００３８】
操作ノブ１の側壁１ｍ、１ｈの下端には、凹部１ｚが設けられている。筒２の側壁２ｍ、２ｈの外側面の下端には、凸状の制限壁２ｚが設けられている。制限壁２ｚの上部は、図２および図４に示すように、凹部１ｚ内に入り込んでいる。操作ノブ１を中立状態から揺動操作すると、操作ノブ１の凹部１ｚの側端面が制限壁２ｚに接触し、操作ノブ１の揺動量が制限される。
【００３９】
操作ノブ１の内側には、図５、図６、および図１０に示すように、レバー８が下方へ突出するように設けられている。レバー８は、筒２の内側を貫通していて、操作ノブ１に連動して揺動する。レバー８の下端に設けられた凹部８ａは、図５、図１０、および図１１に示すように、ストライカ５に設けられた凸部５ａと係合している。
【００４０】
操作ノブ１の下方には、基板１１が設けられている。図１０（ａ）に示すように、揺動前（中立時）のレバー８と基板１１とは垂直になっている。
【００４１】
基板１１の上面１１ａには、図１および図１１に示すように、複数の固定接点７ａ〜７ｅとＬＥＤ（発光ダイオード）１３が実装されている。また、基板１１の両面には、その他のスイッチやコネクタなどの電子部品（図示省略）が実装され、これらによって電気回路が形成されている。
【００４２】
図５および図１０に示すように、操作ノブ１の直下のレバー８の近傍（レバー８と筒２の側壁２ｈの間）には、中空状の円筒軸２ｔが設けられている。円筒軸２ｔは、基板１１に対して垂直に、筒２の内側に筒２と一体で形成されている。円筒軸２ｔの下端部の外周面には、ストライカ５の円弧部５ｂが係合されている（図１０および図１１も参照）。
【００４３】
図９〜図１１に示すように、ストライカ５には、円筒軸２ｔの径方向に突出する突出部５ｄが設けられている。突出部５ｄには、図７および図１１に示すように、接触子６が設けられている。詳しくは、ストライカ５は合成樹脂で形成されていて、接触子６は導電性を有する板ばねから成る。ストライカ５と接触子６は、インサート成形により一体になっている。
【００４４】
接触子６は、フォーク状に形成されていて、３つの先端部にそれぞれ可動接点６ａ、６ｂ、６ｃが設けられている。そのうち、可動接点６ａが円筒軸２ｔの最も近くに設けられ、可動接点６ｃが円筒軸２ｔの最も遠くに設けられている。可動接点６ｂは、可動接点６ａ、６ｃの間に設けられている。
【００４５】
図７（ｂ）に示すように、円筒軸２ｔからストライカ５の凸部５ａまでの距離Ｌ１より、円筒軸２ｔから可動接点６ｂ、６ｃまでの距離Ｌ２、Ｌ３の方が長くなっている（Ｌ１＜Ｌ２＜Ｌ３）。すなわち、レバー８と係合するストライカ５の凸部５ａより、可動接点６ｂ、６ｃの方が、回動半径や移動量（回動量）が大きくなるように設定されている。
【００４６】
図１１に示すように、可動接点６ａ〜６ｃが基板１１の上面１１ａに着地することにより、ストライカ５は基板１１に下方から支持されている。また、ストライカ５は、図１０に示すように、円筒軸２ｔに設けられた段差部２ｙと、ケース１０ａに設けられた凸部１４により、上方から基板１１に押し付けられている。このように、上下から支持されたストライカ５は、円筒軸２ｔを中心にして、基板１１と平行に回転可能である。ストライカ５は、本発明の「回転部材」の一例である。また、円筒軸２ｔは、本発明の「軸部」の一例である。
【００４７】
図１１に示すように、操作ノブ１を揺動操作すると、レバー８が傾斜して、ストライカ５を円筒軸２ｔの外周面に沿って回転させる。この際、ストライカ５に伴って接触子６も回転する。
【００４８】
固定接点７ａ〜７ｅは、ストライカ５の突出部５ｄの近傍の基板１１上に設けられている。各固定接点７ａ〜７ｅは、所定の幅で円弧状に形成されている。固定接点７ａは、図１１（ａ）〜（ｅ）に示すように、ストライカ５と接触子６の回転状態に関わらず、可動接点６ａが常に接するように、基板１１上に設けられている。つまり、可動接点６ａと固定接点７ａは、接触子６と基板１１とを導通させる常閉接点である。また、固定接点７ａは、コモン接点である。
【００４９】
固定接点７ｂは、図１１（ｂ）に示すように、ストライカ５と接触子６が一方向へ小さな角度（たとえば、７°）で回転したときに、可動接点６ｂが接する基板１１上の位置に設けられている。固定接点７ｃは、図１１（ｃ）に示すように、ストライカ５と接触子６が一方向へ大きな角度（たとえば、１２°）で回転したときに、可動接点６ｃが接する基板１１上の位置に設けられている。
【００５０】
すなわち、ストライカ５と接触子６の一方向への回転時に、可動接点６ｂが固定接点７ｂに接した後に、可動接点６ｃが固定接点７ｃに接する。固定接点７ｂと可動接点６ｂの接触状態が、固定接点７ｃと可動接点６ｃの接触時も維持されるように、固定接点７ｂは固定接点７ｃより円弧長が長くなっている。固定接点７ｂは、パワーウインドウのマニュアル閉動作用の接点である。固定接点７ｃは、パワーウインドウのオート閉動作用の接点である。
【００５１】
固定接点７ｄは、図１１（ｄ）に示すように、ストライカ５と接触子６が他方向へ小さな角度（たとえば、７°）で回転したときに、可動接点６ｂが接する基板１１上の位置に設けられている。固定接点７ｅは、図１１（ｅ）に示すように、ストライカ５と接触子６が他方向へ大きな角度（たとえば、１２°）で回転したときに、可動接点６ｃが接する基板１１上の位置に設けられている。
【００５２】
すなわち、ストライカ５と接触子６の他方向への回転時に、可動接点６ｂが固定接点７ｄに接した後に、可動接点６ｃが固定接点７ｅに接する。固定接点７ｄと可動接点６ｂの接触状態が、固定接点７ｅと可動接点６ｃの接触時も維持されるように、固定接点７ｄは固定接点７ｅより円弧長が長くなっている。固定接点７ｄは、パワーウインドウのマニュアル開動作用の接点である。固定接点７ｅは、パワーウインドウのオート開動作用の接点である。
【００５３】
図１１（ａ）に示すように、操作ノブ１の中立状態では、接触子６の可動接点６ａが固定接点７ａに接し（閉路状態）、可動接点６ｂ、６ｃはいずれの固定接点７ｂ〜７ｄにも接していない（開路状態）。
【００５４】
この中立状態から、操作ノブ１を揺動操作することにより、レバー８がストライカ５と接触子６を回転させて、可動接点６ａ〜６ｃが固定接点７ａ〜７ｅに対して接離し、接点６ａ〜６ｃ、７ａ〜７ｅの開閉（ＯＦＦ・ＯＮ）状態が切り替わる。
【００５５】
詳しくは、図１１（ｂ）に示すように、前頭部１ａを小さな角度で押し下げるように、操作ノブ１を揺動操作すると、ストライカ５と接触子６が一方向へ小さな角度で回転して、可動接点６ａが固定接点７ａに接したまま、可動接点６ｂが固定接点７ｂに接する（閉路状態）。これにより、固定接点７ａ、７ｂが接触子６を介して導通し、マニュアル閉動作信号がスイッチ装置１００からパワーウインドウシステムの制御装置（図示省略）へ出力される。
【００５６】
さらに、図１１（ｃ）に示すように、前頭部１ａを大きな角度で押し下げるように、操作ノブ１を揺動操作すると、ストライカ５と接触子６が一方向へ大きな角度で回転して、可動接点６ａ、６ｂが固定接点７ａ、７ｂにそれぞれ接したまま、可動接点６ｃが固定接点７ｃに接する（閉路状態）。これにより、固定接点７ａ、７ｂ、７ｃが接触子６を介して導通し、オート閉動作信号がスイッチ装置１００からパワーウインドウシステムの制御装置へ出力される。
【００５７】
また、図１１（ｄ）に示すように、前頭部１ａを小さな角度で引き上げるように、操作ノブ１を揺動操作すると、ストライカ５と接触子６が他方向へ小さな角度で回転して、可動接点６ａが固定接点７ａに接したまま、可動接点６ｂが固定接点７ｄに接する（閉路状態）。これにより、固定接点７ａ、７ｄが接触子６を介して導通し、マニュアル開動作信号がスイッチ装置１００からパワーウインドウシステムの制御装置へ出力される。
【００５８】
さらに、図１１（ｅ）に示すように、前頭部１ａを大きな角度で引き上げるように、操作ノブ１を揺動操作すると、ストライカ５と接触子６が他方向へ大きな角度で回転して、可動接点６ａ、６ｂが固定接点７ａ、７ｄにそれぞれ接したまま、可動接点６ｃが固定接点７ｅに接する（閉路状態）。これにより、固定接点７ａ、７ｄ、７ｅが接触子６を介して導通し、オート開動作信号がスイッチ装置１００からパワーウインドウシステムの制御装置へ出力される。
【００５９】
図７〜図９に示すように、ストライカ５には、円弧部５ｂを切り欠くことにより、円筒軸２ｔに対して開口する開口部５ｃが設けられている。開口部５ｃは、円筒軸２ｔに対して突出部５ｄの反対側にある。円筒軸２ｔの下端部の側面には、図７、図９、および図１０に示すように、開口部５ｃと連続する切欠き部２ｃが設けられている。
【００６０】
図１および図８に示すライトガイド１２は、透明または不透明のポリカーボネイトやアクリルなどのような、光を透過可能な合成樹脂から形成されている。ライトガイド１２には、受光部１２ｐ、アーム部１２ｂ、１２ｃ、１２ｄ、および突出部１２ａ、１２ｅ、１２ｈ、１２ｇが設けられている。
【００６１】
基アーム部１２ｂは、受光部１２ｐから延びて、短アーム部１２ｃと長アーム部１２ｄとに分岐している。短アーム部１２ｃの先端には、上方へ突出する突出部１２ａが設けられている。長アーム部１２ｄの先端側には、上方へ突出する突出部１２ｅ、１２ｈと、下方へ突出する突出部１２ｇが設けられている。
【００６２】
ライトガイド１２は、基板１１の上面１１ａに載置され、ケース１０ａと基板１１により上下から支持される。その際、ライトガイド１２を位置決めするために、突出部１２ｇが基板１１に設けられた孔１１ｂに挿入され、突出部１２ｈがケース１０ａに設けられた孔（図示省略）に挿入される。
【００６３】
ライトガイド１２の受光部１２ｐは、ＬＥＤ１３との対向位置に配置される。ライトガイド１２は、ＬＥＤ１３から発せられた光を受光部１２ｐで受光して、アーム部１２ｂ、１２ｃ、１２ｄと突出部１２ａ、１２ｅにより導く。ＬＥＤ１３は、本発明の「光源」の一例である。
【００６４】
長アーム部１２ｄは、ドアロックスイッチＤの下方まで延びていて、突出部１２ｅは、筒２２の内部を通って、操作ノブ２１の内側まで延びている。これにより、ＬＥＤ１３から発せられた光が、ライトガイド１２の受光部１２ｐで受光された後、アーム部１２ｂ、１２ｄと突出部１２ｅにより、操作ノブ２１の内側まで導かれて、表示部２１ｅ、２１ｆが発光する。
【００６５】
短アーム部１２ｃは、ウインドウスイッチＷの下方まで延びていて、突出部１２ａは、筒２の内部を通って、操作ノブ２１の内側まで延びている。詳しくは、短アーム部１２ｃは、図９および図１０（ａ）に示すように、ストライカ５の開口部５ｃから円筒軸２ｔの中空部２ｄへ挿入されていて、突出部１２ａは、図５および図１０（ａ）に示すように、円筒軸２ｔの中空部２ｄを貫通して、操作ノブ１の内側に臨んでいる。これにより、ＬＥＤ１３から発せられた光が、ライトガイド１２の受光部１２ｐで受光された後、アーム部１２ｂ、１２ｃと突出部１２ａにより、操作ノブ１の内側まで導かれて、表示部１ｅが発光する。
【００６６】
なお、上記では突出部１２ｈを位置決めだけに用いたが、この突出部１２ｈを導光路としてもよい。この場合、突出部１２ｅの先端を、操作ノブ２１の内側で表示部２１ｅと対向させ、突出部１２ｈの先端を、操作ノブ２１の内側で表示部２１ｆと対向させてもよい。
【００６７】
上記実施形態によると、操作ノブ１の揺動が、中立状態のレバー８に対して垂直でかつ基板１１と平行な、ストライカ５の回動に変換されて、接触子６の可動接点６ａ〜６ｃと基板１１上の固定接点７ａ〜７ｅとが開閉される。このため、固定接点７ａ〜７ｅの間隔や、可動接点６ａ〜６ｃの間隔や、ストライカ５と可動接点６ａ〜６ｃの回動量を基板１１と平行な方向に大きくして、レバー８の長さや、操作ノブ１と固定接点７ａ〜７ｅの距離を短く抑えることができる。よって、各部の寸法や組み付け精度のばらつきの影響を受けずに、接点６ａ〜６ｃ、７ａ〜７ｅを確実に開閉させながら、スイッチ装置１００の高さ方向の小型化を図ることが可能となる。
【００６８】
また、ライトガイド１２を、ＬＥＤ１３との対向位置から延長して、ストライカ５の開口部５ｃから、操作ノブ１の直下にある円筒軸２ｔの中空部２ｄへ通して、操作ノブ１の内側に臨ませている。このため、ライトガイド１２により、ＬＥＤ１３から発せられた光を操作ノブ１の内側まで導いて、表示部１ｅを下方から照らすことができる。また、操作ノブ１の直下に各部を寄せ集めて、円筒軸２ｔとライトガイド１２の設置スペースを部分的に共用することができる。よって、スイッチ装置１００の横方向の小型化を図りつつ、操作ノブ１の表示部１ｅから発光させることが可能となる。
【００６９】
また、上記実施形態では、操作ノブ１、２１から離れた位置にあるＬＥＤ１３の光を、ライトガイド１２により操作ノブ１、２１の内側まで導いている。このため、１つの光源で複数の操作ノブ１、２１の表示部１ｅ、２１ｅ、２１ｆから発光させて、スイッチ装置１００の低コスト化を図ることができる。
【００７０】
また、上記実施形態では、円筒軸２ｔの径方向に突出するストライカ５の突出部５ｄに、可動接点６ａ〜６ｃを有する接触子６を設けている。このため、レバー８の長さや操作ノブ１と基板１１上の固定接点７ａ〜７ｅとの距離を変えなくても、ストライカ５の突出部５ｄの長さを変えることで、可動接点６ａ〜６ｃの移動量を調整することができる。詳しくは、円筒軸２ｔから接触子６までの距離を長くするに連れて、可動接点６ａ〜６ｃの回動量を大きくすることができる。また、それに応じて可動接点６ａ〜６ｃや固定接点７ａ〜７ｅの間隔を大きく設定することができる。
【００７１】
また、上記実施形態では、円筒軸２ｔからレバー８とストライカ５の係合部分８ａ、５ｂまでの距離Ｌ１より、円筒軸２ｔから可動接点６ｂ、６ｃまでの距離Ｌ２、Ｌ３を長くしている。このため、レバー８の長さや操作ノブ１と固定接点７ａ〜７ｅの距離を短く抑えつつ、固定接点７ａ〜７ｅの間隔や、可動接点６ａ〜６ｃの間隔や、可動接点６ｂ、６ｃの移動量を大きくすることができる。
【００７２】
また、上記実施形態では、円筒軸２ｔの径方向にストライカ５の開口部５ｃを設け、円筒軸２ｔの側面に開口部５ｃと連続する切欠き部２ｃを設けている。このため、ライトガイド１２を基板１１上で側方から、開口部５ｃと切欠き部２ｃを通して、ストライカ５の円弧部５ｂの内側と円筒軸２ｔの中空部２ｄに挿し込むことができ、スイッチ装置１００の高さ方向の小型化を一層図ることが可能となる。
【００７３】
さらに、上記実施形態では、円筒軸２ｔに対してストライカ５の突出部５ｄの反対側に開口部５ｃを設けているので、ライトガイド１２を突出部５ｄの反対側から円弧部５ｂの内側と円筒軸２ｔの中空部２ｄに挿し込むことができる。このため、ライトガイド１２がストライカ５や可動接点６ａ〜６ｃの回転の邪魔にならず、ストライカ５や可動接点６ａ〜６ｃの回動量を大きく設定することができる。
【００７４】
本発明は、上述した以外にも種々の実施形態を採用することができる。たとえば、上記実施形態では、円筒軸２ｔの側方に接点６ａ〜６ｃ、７ａ〜７ｅを設けた例を示したが、本発明はこれのみに限定するものではない。これ以外に、たとえば、円筒軸２ｔの直下に可動接点６ａを設け、該可動接点６ａが常に接する基板１１上の位置に固定接点７ａを設けるようにしてもよい。このようにすると、円筒軸２ｔの直下の基板１１上を有効利用しつつ、基板１１のその他の実装部分を大きく空けることができる。また、接点６ａ〜６ｃ、７ａ〜７ｅを操作ノブ１の下方に寄せ集めて、スイッチ装置１００の横方向の小型化を図ることができる。
【００７５】
また、上記実施形態では、接触子６に３つの可動接点６ａ〜６ｃを設け、基板１１に５つの固定接点７ａ〜７ｅを設けた例を示したが、本発明はこれのみに限定するものではなく、可動接点と固定接点の設置数は、１つでも複数でもよく、接点の切り替え数に応じて適宜設定すればよい。たとえば、パワーウインドウのオート開閉動作が無い場合は、接点６ｃ、７ｃ、７ｅを省略してもよい。
【００７６】
また、上記実施形態では、固定接点７ａ〜７ｅを実装した基板１１を、中立状態のレバー８に対して垂直に配置した例を示したが、本発明はこれのみに限定するものではない。たとえば、基板１１をレバー８に対して傾けて配置するようにしてもよい。また、ストライカ５と接触子６の回転面も、レバー８に対して傾けてもよい。
【００７７】
また、上記実施形態では、ストライカ５の開口部５ｃと円筒軸２ｔの切欠き部２ｃを、円筒軸２ｔの径方向と軸方向に開口させた例を示したが、本発明はこれのみに限定するものではない。開口部５ｃと切欠き部２ｃは、円筒軸２ｔの径方向と軸方向のいずれか一方に開口させるようにしてもよい。また、切欠き部２ｃを省略して、ライトガイド１２の突出部１２ａを円筒軸２ｔの下端の開口から中空部２ｄへ挿入するようにしてもよい。
【００７８】
また、上記実施形態では、固定接点７ａ〜７ｅやライトガイド１２を、基板１１の上面１１ａ側に設けた例を示したが、本発明はこれのみに限定するものではない。固定接点７ａ〜７ｅやライトガイド１２は、基板１１の下面側に設けてもよい。この場合、ストライカ５、接触子６、および可動接点６ａ〜６ｃを基板１１の下方に配置し、レバー８を基板１１に設けた孔を通して、ストライカ５と係合させればよい。また、ライトガイド１２をストライカ５の開口部５ｃから、基板１１に設けた孔と円筒軸２ｔの中空部２ｂとに通せばよい。
【００７９】
また、上記実施形態では、揺動操作する操作ノブ１を備えた揺動型のスイッチＷに本発明を適用した例を示したが、たとえば図１２に示すような、矢印方向にスライド（直線移動）操作する操作ノブ１’を備えたスライド型のスイッチＷ’に対しても、本発明は適用することができる。
【００８０】
さらに、上記実施形態では、パワーウインドウシステムで使用されるスイッチ装置１００のウインドウスイッチＷに本発明を適用した例を示したが、本発明はドアロックスイッチＤに対しても適用することができる。また、車載以外の用途に用いられるスイッチ装置にも、本発明は適用することができる。
【符号の説明】
【００８１】
１、１’    操作ノブ
１ｅ  表示部
２    筒
２ｃ  切欠き部
２ｄ  中空部
２ｊ  支持軸
２ｔ  円筒軸
５    ストライカ
５ｃ  開口部
５ｄ  突出部
６ａ、６ｂ、６ｃ  可動接点
７ａ、７ｂ、７ｃ、７ｄ、７ｅ  固定接点
８    レバー
１１  基板
１２  ライトガイド
１３  ＬＥＤ
１００  スイッチ装置
【図１】
2013182834.tif 000003
【図２】
2013182834.tif 000004
【図３】
2013182834.tif 000005
【図４】
2013182834.tif 000006
【図５】
2013182834.tif 000007
【図６】
2013182834.tif 000008
【図７】
2013182834.tif 000009
【図８】
2013182834.tif 000010
【図９】
2013182834.tif 000011
【図１０】
2013182834.tif 000012
【図１１】
2013182834.tif 000013
【図１２】
2013182834.tif 000014